(57)【要約】【課題】  排除券集積部に集積するバッチカードの集積位置をずらして集積し、バッチの区切りを容易に判別できる紙葉類処理装置及びバッチカードの区分方法を提供する。【解決手段】  バッチカード検知装置８により、当該媒体の色及び／又は模様が検知される。先に排除券P１が搬送され、続けてバッチカードＰ２が搬送された場合（図４（１））。先に搬送された排除券P１は、排除券集積部３０に集積され、続けて搬送されたバッチカードＰ２がセンサ２１０ａ１及び２１０ａ２によってその先端が検知されたとき、位置補正ローラ２１０ｂ１の取り付け角度及び２１０ｂ２の取り付け角度が共に所定の角度α回動される（図４（２））。この位置補正ローラ２１０ｂ１及び２１０ｂ２によってバッチカードＰ２の搬送位置がずらされる（図４（３））。バッチカードＰ２がさらに送られ所定の位置に達すると、位置補正ローラ２１０ｂ１及び２１０ｂ２が回動し元の位置に復帰する。【選択図】  図１
2007320682.tif 000002
【特許請求の範囲】
【請求項１】
紙葉類及びこの紙葉類を区分するために挿入されたバッチカードからなる媒体が一括して供給された供給部から１枚ずつ取り出す取出手段と、
この取出手段によって取出された媒体の色又は模様を検知し、前記バッチカードを検知するバッチカード検知手段と、
前記取出手段によって取出された媒体を搬送する搬送手段と、
この搬送手段によって搬送される前記媒体の搬送中心を当該搬送路と直行する方向に所定量ずらすずらし手段と、
前記搬送手段によって搬送される前記媒体を判別する紙葉類判別手段と、
この紙葉類判別手段による判別の結果排除券と判別された紙葉類を集積する排除券集積手段と、
前記バッチカード検知手段によって検知されたバッチカードを前記ずらし手段によって所定量ずらして前記排除券集積手段に搬送する搬送制御手段と、
を備えたことを特徴とする紙葉類処理装置。
【請求項２】
前記ずらし手段は、
前記搬送路と直行する方向に配置された少なくとも２個の位置補正ローラと、
この位置補正ローラの搬送方向上流に配置され、搬送される前記媒体の通過を検知するセンサと、
前記２個の位置補正ローラの回転軸を回動するか移動手段と、
前記センサが搬送される前記媒体を検知したとき、前記２個の位置補正ローラの回転軸を所定量回動し、前記媒体通過後当該２個の位置補正ローラを元の状態に復帰するずらし制御手段と、
を備えたことを特徴とする請求項１記載の紙葉類処理装置。
【請求項３】
紙葉類及びこの紙葉類を区分するために挿入されたバッチカードからなる媒体を処理する紙葉類処理装置のバッチカードの区分方法であって、
前記媒体が一括して供給された供給部から１枚ずつ取り出す第１の工程と、
この第１の工程よって取出された媒体の色又は模様をバッチカード検知手段によって検知する第２の工程と、
この第２の工程による検知の結果バッチカードが検知された場合、当該バッチカードが位置補正ローラの前に到達したことをセンサによって検知する第３の工程と、
この第３工程によってバッチカードの通過が検知されてから、前記位置補正ローラを所定の角度回動する第４の工程と、
この第４の工程の後、前記バッチカードが所定の位置に到達後前記位置補正ローラを元の位置に復帰する第５の工程と、
この第５工程の結果、搬送中心位置がずれて搬送されるバッチカード及びバッチカード以外の紙葉類を紙葉類判別装置によって判別する第６の工程と、
この第６工程の判別の結果、搬送中心位置がずれて搬送されるバッチカード及び前記紙葉類から区分された排除券を排除券集積装置に搬送する第7の工程と、
を備えたことを特徴とする紙葉類処理装置におけるバッチカードの区分方法。
【発明の詳細な説明】
【技術分野】
【０００１】
本発明は、有価証券などの紙葉類を処理する紙葉類処理装置に関し、特に紙葉類をバッチごとに区分するために紙葉類に挿入されるバッチカードの排除位置をずらして集積する紙葉類処理装置及びバッチカードの区分方法に関する。
【背景技術】
【０００２】
有価証券などの紙葉類を処理する紙葉類処理装置は、一括して投入された紙葉類を一定間隔に１枚ずつ取出して搬送し、紙葉類の判別装置によって当該紙葉類の種類（以下、券種と称する。）判別、搬送方向判別、真偽判別（真券か偽券か）及び正損判別（再流通可能な正券か再流通不可能な損券か）を行い、この判別結果に基づいて紙葉類を区分し、施封装置又は集積装置などの処理装置に振り分けて処理する装置である。
【０００３】
この紙葉類処理装置では、３段階（前処理、装置処理及び排除券処理）に分けて処理が行われる。
【０００４】
第１段階は、前処理段階で、紙葉類を紙葉類処理装置で処理する前の段階である。操作員が紙葉類を受け入れて、登録を行うフェーズである。操作員は、紙葉類の受け入れを受け入れ伝票を元に行い受け入れ紙葉類の塊（バッチ）の登録を行う。このようなバッチ処理を行う装置では、特に小口のバッチ処理を行う場合、バッチ処理の単位ごとに紙葉類の最初にダミーカードを挿入し、紙葉類の最後にバッチカードを挿入して１つのバッチを構成するバッチ処理といわれる方法がある。この方法では、例えば識別符号をバーコードで付与したバッチカードが用いられ、バッチの登録の際には、このバッチカードの読み込みと処理する紙葉類の登録を行う。このようにして登録された紙葉類は、従来持ち運び可能な処理ボックスに収納する。従って、小口バッチの場合は処理ボックスの中に複数のバッチが存在することになる。
【０００５】
第２段階は、装置処理の段階で、第１段階で登録された紙葉類を紙葉類処理装置で処理する段階である。操作員が引き渡された処理ボックスの中のダミーカード、紙葉類及びバッチカード（以下、紙葉類及びバッチカードをまとめて媒体と称する。）を取出して紙葉類処理装置の取出部にセットし、計数開始指令を発行すると、紙葉類処理装置は、セットされた紙葉類を一定間隔に１枚ずつ取出して搬送し、紙葉類判別装置によって紙葉類の種類やダミーカード及びバッチカードの検出を行い、集積装置に集積又は施封装置で施封する。従って、この処理は入金処理とも言われている。なお、この入金処理の結果、ダミーカード、バッチカード、若しくは偽券及び搬送異常などにより判別できなかった紙葉類は排除券集積部（集積庫）に集積される。
【０００６】
第３段階は、排除券処理の段階で、操作員が排除券を処理する段階である。操作員は、紙葉類処理装置から排除されたバッチカードに印字されている識別番号をキー入力するか又はバッチカードのバーコードを読み込ませる。排除券がある場合には、バッチカードと共に排除された紙葉類の種類及び枚数などを入力する。
【０００７】
この際、排除券集積部にダミーカード、排除券及びバッチカードが一緒に集積されるが、バッチの切れ目であるバッチカード、排除券及びダミーカードをバッチごとに区分して排除券処理をするため、このバッチの区切りを操作員が見分ける必要がある。
【０００８】
そのため、従来からバッチカードを区分する方法が検討されてきた。例えば、バッチカードのサイズを紙葉類のサイズより大きくすることによって区分する方法、又はバッチカードの材質又は厚さを変えることによって区分する方法が知られている（例えば、特許文献１参照。）。
【特許文献１】特開２００２−３３４３６２号公報  （第３頁、図５）
【発明の開示】
【発明が解決しようとする課題】
【０００９】
しかしながら、従来の紙葉類処理装置で用いられているバッチカードのサイズを紙葉類のサイズより大きくする方法は、紙葉類処理装置で取り扱う何れの紙葉類よりも一回り大きいサイズにする必要があり、紙葉類の取込部、搬送部など大きい紙葉類に対応した装置構成が必要になり無駄が多いという課題がある。
【００１０】
また、バッチカードの材質又は厚さを変える方法は、紙葉類の取込部又は搬送部の屈曲部などで紙葉類と異なる媒体を紙葉類と同様の条件で処理するためには詳細な検討が必要になる。通常の紙葉類だけの取出しであっても２枚取りその他の搬送異常が発生したり、温湿度等の環境変化があった場合に搬送異常が発生したりするのを低減する方法が複雑であるという課題があった。その上に、材質や厚さを変更する方法は処理方法が複雑になるという課題がある。
【００１１】
本発明は、上記課題を解決するためになされたもので、排除券集積部に集積する媒体（ダミーカード、排除券及びバッチカード）の中のダミーカード及び／又はバッチカードの集積位置をずらして集積することによりバッチの区切りを容易に判別できるようにした紙葉類処理装置を提供することを目的とする。
【課題を解決するための手段】
【００１２】
上記目的を達成するために、本発明の請求項１記載の紙葉類処理装置は、紙葉類及びこの紙葉類を区分するために挿入されたバッチカードからなる媒体が一括して供給された供給部から１枚ずつ取り出す取出手段と、この取出手段によって取出された媒体の色又は模様を検知し、前記バッチカードを検知するバッチカード検知手段と、前記取出手段によって取出された媒体を搬送する搬送手段と、この搬送手段によって搬送される前記媒体の搬送中心を当該搬送路と直行する方向に所定量ずらすずらし手段と、前記搬送手段によって搬送される前記媒体を判別する紙葉類判別手段と、この紙葉類判別手段による判別の結果排除券と判別された紙葉類を集積する排除券集積手段と、前記バッチカード検知手段によって検知されたバッチカードを前記ずらし手段によって所定量ずらして前記排除券集積手段に搬送する搬送制御手段と、を備えたことを特徴とする。
【００１３】
また、本発明の請求項３記載のバッチカードの区分方法は、紙葉類及びこの紙葉類を区分するために挿入されたバッチカードからなる媒体を処理する紙葉類処理装置のバッチカードの区分方法であって、前記媒体が一括して供給された供給部から１枚ずつ取り出す第１の工程と、この第１の工程よって取出された媒体の色又は模様をバッチカード検知手段によって検知する第２の工程と、この第２の工程による検知の結果バッチカードが検知された場合、当該バッチカードが位置補正ローラの前に到達したことをセンサによって検知する第３の工程と、この第３工程によってバッチカードの通過が検知されてから、前記位置補正ローラを所定の角度回動する第４の工程と、この第４の工程の後、前記バッチカードが所定の位置に到達後前記位置補正ローラを元の位置に復帰する第５の工程と、この第５工程の結果、搬送中心位置がずれて搬送されるバッチカード及びバッチカード以外の紙葉類を紙葉類判別装置によって判別する第６の工程と、この第６工程の判別の結果、搬送中心位置がずれて搬送されるバッチカード及び前記紙葉類から区分された排除券を排除券集積装置に搬送する第7の工程と、を備えたことを特徴とする。
【発明の効果】
【００１４】
本発明によれば、排除券集積部に集積されたダミーカード、排除券及びバッチカードの中から排除券集積部内でのダミーカード及び／又はバッチカードの集積位置をずらして集積することによりバッチの区切りを容易に判別できる。
【発明を実施するための最良の形態】
【００１５】
以下、図面を参照して本発明の実施例を説明する。
【実施例】
【００１６】
図１は、本発明の実施例によるバッチカードのずらし機能を有する紙葉類処理装置１１０を備えた紙葉類処理システム図である。この紙葉類処理システム図には、紙葉類処理装置１１０、上位システムＤＢ（データベース）１００、前処理用情報登録ＰＣ（パーソナルコンピュータ）１２０及び排除券入力用情報登録ＰＣ１３０が設けられている。
【００１７】
前処理用情報登録ＰＣ１２０には、ハンドスキャナ１２１が接続されており、バッチカードの登録処理が行われる。バッチカードの登録処理とは、バッチカードに印刷されているバーコードをハンドスキャナ１２１で読み取り、その読み取りデータを情報登録ＰＣ１２０から上位システムＤＢ１００に送信することである。このようにして登録されたダミーカード、排除券及びバッチカードからなる１バッチのバッチカードＰＢを処理ボックス１２にセットする。この処理により第１段階である前処理が終了する。このようにして処理ボックス１２にセットされた１バッチのバッチカードＰＢは、紙葉類処理装置１１０に供給される。
【００１８】
紙葉類処理装置１１０は、操作部５５０及び紙葉類処理機１で構成され、上位システムＤＢ１００に通信回線を経て接続されている。  
操作部５５０は、紙葉類処理機１で行う業務内容の指示、その指示された業務内容に基づく取引内容の指定、及び紙葉類処理機１での取引結果を入手し、その入手結果を上位システムＤＢに送信する。すなわち、紙葉類処理機１で読み取ったバッチカード番号および処理した計数金額を送信する。この処理によって第２段階である装置処理が終了する。
【００１９】
処理ボックス１２の媒体ＰＢが紙葉類処理機１に供給される。紙葉類処理機１は、操作部５５０に接続され、操作部５５０からの取引指示に基づいて、供給された媒体ＰＢを取出し、紙葉類判別部１９で１枚ずつ判別する。判別された媒体ＰＢは、その判別結果に基づいて区分処理される。この紙葉類処理中に排除券が発生した場合、発生した排除券は、排除券集積部３０に、ダミーカード、排除券（リジェクト券）及びバッチカードの順番に集積される。
【００２０】
排除券入力用登録ＰＣ１３０には、ハンドスキャナ１３１が接続されており、操作員によって上記排除券集積部３０に集積された排除券（リジェクト券）の入力処理が行われる。排除券は、バッチカードに挟まれて排除券集積部３０に集積されている。操作員は、当該バッチカードに印字されているバーコードをハンドスキャナ１３１で読み取る。読み取った結果は排除券入力用登録ＰＣ１３０の操作表示部１３２に表示される。また、排除券の供給元を示すアカウント番号、排除券の券種及び枚数からなる金額が排除券入力用登録ＰＣ１３０の操作表示部１３２又は入力部１３３から入力される。これら入力されたデータは、上位システムＤＢ１００に送信される。この処理によって第３段階である排除券処理が終了する。
【００２１】
図２は、図１に示す紙葉類処理装置１１０の概略構成図である。紙葉類処理装置１１０は、紙葉類処理機１及び操作部５５０で構成されている。
【００２２】
操作部５５０に接続された操作表示部５５２から操作員の操作によって、入金業務、整理業務などの取引方法の設定、処理した紙葉類Ｐを収納するカセット１３を設定するカセットアサイン、及び紙葉類Ｐの正損レベル設定などが行われる。この設定の後、操作員が供給台１１に媒体（ダミーカード、紙葉類及びバッチカード）をセットする。操作部５５０から紙葉類処理機１による処理を開始すると、媒体ＰＢは、取出ローラ（取出手段）５によって１枚ずつ搬送路（搬送手段）１６に取り出されて搬送される。
【００２３】
この媒体ＰＢが取り出されるとき、バッチカード検知装置（バッチカード検知手段）８は、媒体ＰＢ表面の色又は模様を検出することによりバッチカードを検知する。さらに、紙葉類判別装置（紙葉類判別手段）１９によって当該紙葉類Ｐの券種判別、搬送方向判別、真偽判別及び正損判別並びにダミーカード及びバッチカードの判別が行われる。この判別結果に基づいて当該紙葉類は集積又は施封される。詳細は後述する。なお、ダミーカード及びバッチカードは排除券集積部３０に集積される。この際、バッチカードは排除券集積部３０のずらした位置に集積される。
【００２４】
また、設定した業務の取引終了時には、各業務終了に伴う取引の区切り処理が行われる。さらに、１日の業務終了などの単位で取引計数を集計し、上位システムＤＢ１００に取引結果を通知するバランス処理が行われる。この上位システムＤＢ１００には、例えば、本実施例の紙葉類処理装置１１０が複数台接続され、各紙葉類処理装置１１０の稼動状況の把握や、各紙葉類処理装置１１０からの処理結果の集計を行うことができる。
【００２５】
入金業務とは、予め合計金額のわかっている複数券種の紙葉類Ｐを、紙葉類処理装置１１０を用いて、券種ごと、搬送方向ごと、正損ごとに区分し、紙葉類処理装置１１０で計数した金額が正しいことを確認し、上位システムＤＢ１００に登録する業務である。なお、この業務によって処理された紙葉類Ｐは、上述した集積装置５７〜６２にセットされた紙葉類収納装置としてのカセット１３に集積され、又は施封部４で１００枚ごとに施封され紙葉類把（以下、把と称する。）Ｈが形成される。
【００２６】
整理業務とは、入金業務において上位システムＤＢ１００に計数を登録しない業務である。取引した券種を計数することが目的ではなく、一度入金業務などで計数を行った券種をさらに詳細に（例えば、表裏及び正損ごとに）集積装置５７〜６２の各カセット１３に集積したり、施封を行ったりするために使用する。
【００２７】
カセットアサインとは、集積装置５７〜６２の各カセット１３に収納する券種、及び施封部４で施封する券種を設定することである。
【００２８】
正損レベル設定とは、再流通可能な正券と再流通不可能な損券に区分する閾値である正損判別レベルを設定することである。詳細は後述するが、正損判別レベルの値が大きくなるほど損券枚数が多くなる。
【００２９】
取引の区切り処理とは、各取引終了後、例えば操作表示部５５２に設けられた完了ボタン（図示しない）が押下されたとき、上記集積装置５７〜６２に集積された紙葉類Ｐを各カセット１３に収納する処理のことで、紙葉類Ｐが収納された各カセット１３は、操作員によって空のカセット１３と交換される。
【００３０】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００３１】
紙葉類処理機１は、紙葉類ＰＢをセットする供給部１０、この供給部１０に供給された媒体ＰＢを取り出す取出ローラ５、媒体ＰＢの表面の色からバッチカードを検知するバッチカード検知装置８、及び上記取出ローラ５によって取出された媒体ＰＢを搬送する搬送路１６が備えられている。また、この搬送路１６によって搬送される媒体ＰＢの搬送状態を検出し補正を行うと共に、上記バッチカード検知装置８によってバッチカードが検知された場合に搬送位置を搬送路１６と直行する方向に所定量ずらすずらし手段としての整列ユニット２１０が配置されている。さらに、この整列ユニット２１０によって搬送補正された媒体を１枚ずつ判別する紙葉類判別部１９、及び上記バッチカードの識別符号であるバーコードを読み取る読取手段としてのバーコードリーダ７０が搬送路１６に沿って配置されている。
【００３２】
バッチカード検知装置８の検知結果は、主制御部５００に通知される。主制御部５００は、その通知結果を搬送制御部２６に通知する。搬送制御部２６は、整列ユニット２１０の位置補正ローラ２１０ｂ１及び２１０ｂ２の回転軸の角度を所定量回動させ、搬送されるバッチカードの搬送位置をずらす。この結果、バッチカードは搬送中心がずれた状態で排除券集積部３０に集積されることになる。詳細は、後述する。
【００３３】
紙葉類判別部１９による媒体ＰＢの判別結果、厚さ検知装置の検知結果及びバーコードリーダ７０の読取結果は、紙葉類処理装置１１０を制御する主制御部（制御手段）５００に送信される。
【００３４】
主制御部５００は、受信した判別結果に基づいて、後述する搬送制御部、施封制御部４００を制御する。搬送制御部は、紙葉類の搬送を制御するもので、分岐ゲートＧ１、Ｇ２、・・・Ｇ８、及び搬送方向を揃えるために反転する反転処理部を制御する。このようにして搬送方向の揃えられた紙葉類Ｐは、操作表示部５５２によって設定された区分方法に基づいて施封する施封部４で施封され、又は券種ごとに集積する集積部５０で集積される。
【００３５】
さらに、紙葉類処理機１はインターフェース５０１を介して操作部５５０に接続されている。以下、紙葉類処理機１の構成を媒体ＰＢの供給部１０から順に説明する。
【００３６】
供給部１０は、供給台１１を有しており、この供給台１１に媒体ＰＢをセットし、取出し開始釦（図示しない）をオンすると、取出ローラ５に押圧された状態になっている媒体ＰＢは、取出ローラ５が回転することにより一定間隔を有して媒体ＰＢの最先端の紙葉類から順に１枚ずつ取り出される。
【００３７】
搬送路１６は、搬送面に対して対向するベルトで媒体ＰＢを複数箇所挟持する。この搬送ベルトを掛け回した搬送ローラを駆動することによって媒体ＰＢを搬送する。
【００３８】
分岐ゲートＧ１は、例えば、リジェクト券と、処理券とに振り分けるゲートである。リジェクト券とは、紙葉類判別部１９で媒体ＰＢを判別した結果、媒体ＰＢが偽券、又は折れ、破れ及びスキューなどにより判別のできない「判別不能券」と判別された紙葉類をいう。この判別結果を搬送制御部が受信すると、分岐ゲートＧ１を右側（時計方向）に回動することにより、当該リジェクト券を排除券集積部３０に集積する。バッチカードは、リジェクト券として排除券集積部３０に集積される。
【００３９】
また、処理券とは、紙葉類判別部１９で判別された媒体ＰＢが真券で正券、又は真券で損券をいう。搬送制御部は、その判別結果を受信すると、分岐ゲートＧ１を左側（反時計方向）に回動して、当該紙葉類を区分処理する。
【００４０】
反転処理部は、スイッチバック反転部（図示しない）及び表裏反転部９で構成され、紙葉類Ｐの取り揃える方向により上記スイッチバック反転部及び表裏反転部９の一方、若しくは両方が使用される。
【００４１】
分岐ゲートＧ２は、表裏反転分岐ゲートである。紙葉類判別部１９で判別された紙葉類Ｐの搬送方向の判別結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００４２】
表裏反転部９は、紙葉類判別部１９の券種判別及び搬送方向判別で判別された結果に基づき、紙葉類Ｐの搬送方向の表裏を取り揃えるために反転する。例えば搬送方向が裏正（ＢＦ）の場合、表裏反転部９によって表正ＦＦになる。
【００４３】
分岐ゲートＧ３は、搬送される紙葉類Ｐを搬送路１６から施封部４、又は集積部５０に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００４４】
施封部４及び集積部５０には、紙葉類Ｐが搬送される搬送路から分離するために搬送路の終端に紙葉類Ｐを集積する集積装置として羽根車集積装置が設けられている。
【００４５】
この羽根車集積装置は、例えば、集積装置５７の場合、羽根車５７ａ、一時集積庫５７ｂ、シャッター５７ｃ、カセット１３、及び集積を補佐するプッシャ（図示しない）などで構成される。
【００４６】
羽根車５７ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収し、かつ紙葉類Ｐを整位しながら一時集積庫５７ｂに集積する。
【００４７】
一時集積庫５７ｂは、集積装置５７で使用される一時集積庫５７ｂと、施封部４の一時集積庫４２ｂとでは以降で処理する目的が異なるために形態が異なっている。
【００４８】
集積装置５７で使用される一時集積庫５７ｂには、シャッター５７ｃが備えられており、このシャッター５７ｃの上に紙葉類Ｐが集積される。そして、このシャッター５７ｃに集積された紙葉類Ｐは、例えば満杯になったとき、又は業務終了指示（図示しない）などがあると、シャッター５７ｃが開き、シャッター５７ｃ下部に設けられた集積庫としてのマルチカセット１２に設けられたバックアッププレート１２３の上に落下する。このバックアッププレート１２３は、取出口１２２ｂ方向に進退自在に移動可能な板状体で構成されていり。このバックアッププレート１２３に落下した紙葉類Ｐは、プッシャーによってマルチカセット１２に押し込まれる。
【００４９】
カセット１３は、上記一時集積庫同様に、業務中にカセット１３に収納された紙葉類満杯又は操作部５５０からの指示によって、集積装置５７にセットされているカセット１３の交換業務に入ることができる。
【００５０】
このカセット１３の交換業務を説明する。紙葉類処理機１は、操作員による操作部５５０からの指示によりカセット１３の第２のセキュリティ手段としての施・開錠手段を開錠する（ロックを解除する）ここでは、操作部５５０からの指示に基づいて電磁的方法によって開錠される。このロック解除とは、例えば集積装置５７のマルチカセット１２の場合、当該集積装置５７にマルチカセット１２を固定しているロックを解除することを意味する。
【００５１】
操作員は、ロック解除されたカセット１３を集積装置５７から取外し、空のカセット１３をセットする。この空のカセット１３をセットすることによって、再度集積装置５７にカセット１３がロックされる。
【００５２】
紙葉類Ｐの入っているカセット１３に押し込まれる紙葉類Ｐの枚数が増えるとバックアッププレート１２３は下側に移動する。以上の動作は、集積装置５７〜６２で共通である。
【００５３】
施封部４は、第１集積部４２、第２集積部４３、搬送部、紙帯部４６、帯送り部４７、帯巻部４８で構成される。本実施例では、施封部４が、上記第１集積部４２、第２集積部４３を有している場合を説明するが、必要に応じてこれら２個の集積部を対にして複数セット用いてもよい。
【００５４】
第１集積部４２及び第２集積部４３は、共に同様に構成されているため、第１集積部４２についてその構成を説明し第２集積部４３の説明を省略する。
【００５５】
第１集積部４２には、施封搬送路４０Ａから紙葉類を分岐する分岐ゲートＧ１２、振り分けられた紙葉類Ｐを搬送する搬送路４０Ｂ、搬送路４０Ｂの終端から送り出された紙葉類を受け取る羽根車４２ａ、この羽根車４２ａによって受け取られた紙葉類Ｐを集積する一時集積庫４２ｂ、集積された紙葉類Ｐを押圧するプッシャー（図示しない）が設けられている。以下、施封部４の各部構成について説明する。
【００５６】
一時集積庫４２ｂは、搬送される紙葉類Ｐを計数し１００枚に達すると、続けて搬送される紙葉類Ｐを一時集積庫４３ｂに集積させるために切り替えゲートＧ１２及びＧ１３を切り替える。その後、この一時集積庫４２ｂに集積された紙葉類の施封を行う。以下この施封動作を説明する。
【００５７】
一時集積庫４２ｂに集積された１００枚紙葉類は、搬送キャリア４４に渡される。搬送キャリア４４は、図示矢印で示す縦搬送及び横搬送され、帯巻部４８に１００枚紙葉類を渡す。
【００５８】
この搬送キャリア４４から渡された１００枚紙葉類は、紙帯部４６から供給された紙帯が帯送り部４７で送られ帯巻部４８に達すると、帯巻部４８はこの紙帯を用いて上記１００枚紙葉類の所定部位を帯び巻きする。このようにして帯び巻された１００枚紙葉類からなる把Ｈが形成される。
【００５９】
帯巻部４８で形成された把Ｈは、カセット６３ｄに収納される。このカセット６３ｄに収納される方法は、集積装置５７のカセット６３ｄに紙葉類Ｐを集積する方法と同様、シャッター６３ｃ及び紙葉類取出口１２２ｂの扉が開き、把Ｈをカセット６３ｄに入れ、その上から押込み棒で中に押込む。このようにして集積された把Ｈの様子を図２に示してある。
【００６０】
図３は、図２に示す紙葉類処理機１を制御する主制御部と各部との接続を示すブロック図である。すなわち、紙葉類処理装置１１０を制御する主制御部５００、紙葉類判別部１９、搬送制御部２６、施封制御部４００、バーコードリーダ７０、バッチカード検知装置８８及び操作部５５０の接続状態を示すブロック図である。
【００６１】
主制御部５００は、操作部５５０の指示に基づいて、搬送される媒体の判別結果を紙葉類判別部１９から受信し、媒体を区分処理するために、搬送制御部２６、及び施封制御部４００を制御する。また、媒体判別結果を操作部５５０に送信する。
【００６２】
紙葉類判別部（紙葉類判別手段）１９は、搬送される媒体ＰＢの券種判別、搬送方向判別、真偽判別、正損判別、及び厚さ判別を行う。
【００６３】
上記券種判別は、判別された媒体ＰＢが紙葉類Ｐの場合はその券種を判別し、さらにダミーカード及びバッチカードを判別する。バッチカードの判別は、バッチカード検知装置８でも行われるが、これとは独立した判別が行われる。これら媒体ＰＢの券種判別は、ダミーカード及びバッチカードも紙葉類Ｐの券種とみなした上で、紙葉類Ｐ表面の色又は模様又はその組み合わせ及び形状によって行う。
【００６４】
上記紙葉類判別を行うために、複数のセンサ１〜ｎが設けられており、これらセンサ１〜ｎの出力信号を増幅する増幅回路１〜ｎ、及びこの増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から券種判別、真偽判別（本物か偽物か）、正損判別及びバッチカード判別が行われる。
【００６５】
紙葉類判別部１９の制御は、全体を制御するＣＰＵ２１、このＣＰＵ２１によってアクセスされる記憶部２５及びＣＰＵ２１で判別された結果を主制御部５００との間で通信するためのＩ／Ｆ部２２で構成される。
【００６６】
搬送制御部２６は、紙葉類判別部１９の判別結果により、搬送される媒体ＰＢの行き先を決定して、媒体ＰＢの搬送制御を行うＣＰＵ２７と、このＣＰＵ２７によってアクセスされる記憶部２９と、主制御部５００とのＩ／Ｆ部２８とで構成される。
【００６７】
主制御部５００は、主制御部５００を制御するＣＰＵ５０４、記憶部５０５、インターフェース部５０３を備えており、紙葉類判別部１９、搬送制御部２６、及び施封制御部４００に接続される。また、インターフェース５０１を介して操作表示部５５２と接続される。
【００６８】
ＣＰＵ５０４は、操作表示部５５２から操作員によって設定された入金業務、整理業務などの取引方法の設定、処理した紙葉類Ｐを収納する収納庫を設定するカセットアサインの設定、及び紙葉類の判別レベルである正損判別レベル設定などの情報を紙葉類判別部１９に送信する。また、紙葉類Ｐの判別結果を紙葉類判別部１９から受信し、操作部５５０に送信する。ここでは、取引の区切り処理が行われた際の取引計数が送信される。
【００６９】
図４は、バッチカードずらし手段としての整列ユニット２１０を説明する図である。  
この整列ユニット２１０は、媒体ＰＢを搬送する搬送路１６を分離して構成した第１の搬送路１６Ａ及び第２の搬送路１６Ｂを備えている。また、この第１の搬送路１６Ａと第２の搬送路１６Ｂとの間に、位置補正ローラ２１０ｂ１及び２１０ｂ２が備えられ、これら位置補正ローラ２１０ｂ１及び２１０ｂ２の回転軸の角度が回動できるように構成されている。
【００７０】
第１の搬送路１６Ａは、位置補正ローラ２１０ｂ１及び２１０ｂ２の搬送方向上流に配置された搬送ローラ１６ａ及び１６ｃと、これら搬送ローラ１６Ａ及び１６Ｃに掛け回された搬送ベルト１６ｂによって構成される。
【００７１】
第２の搬送路１６Ｂは、位置補正ローラ２１０ｂ１、及び２１０ｂ２の搬送方向下流に配置された搬送ローラ１６ｄ及び１６ｆと、これら搬送ローラ１６ｄ及び１６ｃに掛け回された搬送ベルト１６ｅによって構成される。
【００７２】
このような構成において整列ユニット２１０によるバッチカードのずらし機構を説明する。  
最初に供給部１０から媒体が１枚ずつ取り出される（第１の工程）。
【００７３】
取り出された媒体（ダミーカード、紙葉類及びバッチカード）は、バッチカード検知装置８により、当該媒体の色が検知される（第２の工程）。この媒体の色は、媒体が取出ローラ５によって取り出される際に検知される。取り扱う紙葉類の色が限定されている場合には、その紙葉類の色と異なる色を表面色に有するバッチカードを用いればよい。また、媒体が取出ローラ５によって取り込まれるときに、この媒体が移動することにより、媒体に設定した所定の位置の模様が検知される。この検知結果は、上述した主制御部５００に送信され、この主制御部５００によって認識される。なお、本実施例では、バッチカード検知装置８によって媒体の色及び模様を検知する方法を用いたが、これに限定されるのではなく、取り扱う紙葉類Ｐとバッチカードの区分が容易な場合は、媒体の色又は模様の何れか一方の検知を用いて検出できるのは当然である。
【００７４】
また、このような媒体の色又は模様を検知する方法は従来から知られている技術によって可能なので、詳細な検知方法は省略する。
【００７５】
ここで、図を参照しながら先に排除券Ｐ１が搬送され、続けてバッチカードＰ２が搬送された場合を例に説明する（図４（１））。
【００７６】
先に搬送された排除券Ｐ１は、バッチカードではないのでそのまま搬送され紙葉類判別装置（紙葉類判別手段）１９に送られる。続けて搬送されたバッチカードＰ２が整列ユニット２１０のセンサ２１０ａ１及び２１０ａ２によってその先端が検知されたとき（第３の工程）、整列ユニット２１０の位置補正ローラ２１０ｂ１の取り付け角度及び２１０ｂ２の取り付け角度が共に所定の角度α回動される（図４（２）、第４の工程）。
【００７７】
この位置補正ローラ２１０ｂ１及び２１０ｂ２によってバッチカードＰ２の搬送位置がずらされる（図４（３））。
【００７８】
バッチカードＰ２がさらに送られ所定の位置に達すると、位置補正ローラ２１０ｂ１及び２１０ｂ２が回動し元の位置に復帰する（第５の工程）。
【００７９】
上記整列ユニット２１０を通過して搬送された紙葉類は、紙葉類判別部１９によって判別される（第６の工程）。その判別の結果、先に搬送された紙葉類（この場合、排除券Ｐ１）は、排除券と判別され排除券集積部３０に搬送される。続けて搬送された紙葉類（この場合、バッチカードＰ２）は、同様に排除券と判別され排除券集積部３０に搬送される（第７の工程）。この際、バッチカードＰ２は、整列ユニットで搬送中心位置がずらされるため、ずらされた状態のまま搬送され排除券集積部３０に集積される（図４（４））。
【００８０】
なお、上記位置補正ローラ２１０ｂ１、２１０ｂ２の取り付け角度が一定の場合について説明したが、これに限るものではなく、例えば、バッチカードの搬送位置を検知してその搬送位置ずれ量を考慮した角度αを設定してもよい。また、処理する紙葉類の幅サイズが券種によって異なる場合には、券種に応じた取り付け角度αを設定してもよい。
【００８１】
図５は、このようにして排除券集積部３０に排除券及びバッチカードが集積された状態を示す。図５（１）は、集積状態の側面図で、図５（２）は斜視図である。なお、ダミーカードは、排除券Ｐ１と同様の位置に集積される。本実施例では、このダミーカードを判別できない紙葉類と同じ取扱いとして説明したが、バッチカード同様に識別可能な色、符合を付してずらして集積することができるのは当然である。
【００８２】
以上の結果、複数の小口バッチを処理した場合には、バッチ毎にバッチカードの集積位置がずらされて集積されることになり、バッチの区切りを容易に判別できる。また、本発明では、バッチカードの大きさを紙葉類と異なるサイズにする必要がないため、従来の形状の紙葉類処理装置をそのまま使用できる。
【図面の簡単な説明】
【００８３】
【図１】本発明の実施例によるバッチカードのずらし機能を有する紙葉類処理装置１１０を備えた紙葉類処理システム図。
【図２】図１に示す紙葉類処理装置１１０の概略構成図。
【図３】図２に示す紙葉類処理機１を制御する主制御部と各部の接続を示すブロック図。
【図４】バッチカードがずらして集積される様子を説明する図である。
【図５】図４の結果集積された媒体の状態を示す。
【符号の説明】
【００８４】
Ｈ  １００枚紙葉類
Ｐ１  紙葉類
Ｐ２  バッチカード
Ｇ１〜Ｇ８  分岐ゲート
Ｇ１２、Ｇ１３  分岐ゲート
１  紙葉類処理機
８  バッチカード検知装置
１０  供給部
１６  搬送路
１９  紙葉類判別部
３０  排除券集積部
４  施封部
４２〜４５  施封装置
４２Ｅ  横搬送路
４２Ｂ  一時集積庫
４２Ｆ  搬送キャリア
５０  集積部
５７〜６２  集積装置
７０  バーコードリーダ
１００  上位システムＤＢ
１１０  紙葉類処理装置
１２０  前処理用情報登録ＰＣ
１３０  排除券登録用情報登録ＰＣ
１２１、１３１  ハンドスキャナ
２１０  整列ユニット
２１０ａ１、２１０ａ２  センサ
２１０ｂ１、２１０ｂ２  位置補正ローラ
α  回動角
４００  施封制御部
５００  主制御部
５５２  操作表示部
【図１】
2007320682.tif 000003
【図２】
2007320682.tif 000004
【図３】
2007320682.tif 000005
【図４】
2007320682.tif 000006
【図５】
2007320682.tif 000007